(57)【特許請求の範囲】
【請求項１】
レーザ光を照射することによって、追記型の情報記録媒体のデータ領域に、所定エラー訂正方式に準拠して情報を記録可能な記録手段と、
該記録手段を用いて、前記データ領域内にあって前記所定エラー訂正方式における許容欠陥長以下の長さを有するデータ領域部分に、試し書き用データを記録することにより、前記レーザ光の最適記録パワーを求める最適記録パワー検出手段と、
該求められた最適記録パワーで前記データ領域に前記情報を記録するように前記記録手段を制御する制御手段と
を備えたことを特徴とする情報記録装置。
【請求項２】
前記最適記録パワー検出手段は、前記データ領域部分として、前記情報が実際に記録される位置の近傍の部分を用いることを特徴とする請求の範囲第１項に記載の情報記録装置。
【請求項３】
前記最適記録パワー検出手段は、前記データ領域部分として、前記許容欠陥長よりも予め設定されたマージン分だけ短い長さを有する部分を用いることを特徴とする請求の範囲第１項に記載の情報記録装置。
【請求項４】
前記最適記録パワー検出手段は、前記データ領域部分として、前記データ領域内におけるシンク信号が記録される部分を除く部分を用いることを特徴とする請求の範囲第１項に記載の情報記録装置。
【請求項５】
前記最適記録パワー検出手段は、前記データ領域部分として、前記情報が記録又は再生される際のトラッキングサーボにおけるトラッキングサーボエラーの許容範囲内の長さを有する部分を用いることを特徴とする請求の範囲第１項に記載の情報記録装置。
【請求項６】
前記最適記録パワー検出手段は、前記データ領域部分として、前記所定エラー訂正方式におけるエラー訂正単位毎に前記許容欠陥長以下の長さを有する部分を用いることを特徴とする請求の範囲第１項に記載の情報記録装置。
【請求項７】
前記最適記録パワー検出手段は、前記試し書き用データが前記許容欠陥長よりも長いデータである場合には、前記試し書き用データを、前記許容欠陥長以下の長さを有する部分に分割した形で、前記所定エラー訂正方式における複数のエラー訂正単位に分散させることを特徴とする請求の範囲第１項に記載の情報記録装置。
【請求項８】
前記情報記録媒体は、前記データ領域とは別に前記試し書き用データを書き込むための専用試し書き領域を有し、
前記最適記録パワー検出手段は、前記記録手段を用いて、前記試し書き用データを前記データ領域部分に記録する前に前記専用試し書き領域に記録することで、前記最適記録パワーを先ず求めると共に、前記専用試し書き領域を前記試し書き用データで記録し尽くした後に、前記試し書き用データを前記データ領域部分に記録することを特徴とする請求の範囲第１項に記載の情報記録装置。
【請求項９】
レーザ光を照射することによって、追記型の情報記録媒体におけるデータ領域に、所定エラー訂正方式に準拠して情報を記録可能な記録手段を備えた情報記録装置における情報記録方法であって、
該記録手段を用いて、前記データ領域内にあって前記所定エラー訂正方式における許容欠陥長以下の長さを有するデータ領域部分に、試し書き用データを記録することにより、前記レーザ光の最適記録パワーを求める最適記録パワー検出工程と、
該求められた最適記録パワーで前記データ領域に前記情報を記録するように前記記録手段を制御する制御工程と
を備えたことを特徴とする情報記録方法。
【請求項１０】
請求の範囲第１項に記載の情報記録装置と、
前記情報記録媒体から前記情報を再生する再生手段と
を備えたことを特徴とする情報記録再生装置。
【請求項１１】
請求の範囲第９項に記載の情報記録方法に係る最適記録パワー検出工程及び制御工程と、
前記情報記録媒体から前記情報を再生する再生工程と
を備えたことを特徴とする情報記録再生方法。
【請求項１２】
請求の範囲第１項に記載の情報記録装置に備えられたコンピュータを制御する記録制御用のコンピュータプログラムであって、該コンピュータを、前記記録手段、前記最適記録パワー検出手段及び前記制御手段として機能させることを特徴とする記録制御用のコンピュータプログラム。
【請求項１３】
請求の範囲第１０項に記載の情報記録再生装置に備えられたコンピュータを制御する記録再生制御用のコンピュータプログラムであって、該コンピュータを、前記情報記録装置及び前記再生手段として機能させることを特徴とする記録再生制御用のコンピュータプログラム。
【発明の詳細な説明】
【技術分野】
【０００１】
本発明は、記録型の光ディスク等の情報記録媒体に情報を記録するための、例えば追記型光ディスクレコーダ等の情報記録装置、このような情報記録装置において実施される最適記録パワーを検出する情報記録方法、並びに情報記録再生装置及び方法の技術分野に関する。
【背景技術】
【０００２】
例えば、光ディスク等の情報記録媒体を記録する情報記録再生装置においては、光ディスクの種類、情報記録再生装置の種類及び記録速度等に応じて、ＯＰＣ（Optimum Power Calibration）処理により、記録レーザパワーのキャリブレーション（較正）が行われ、最適記録パワーが設定される。これにより、光ディスクにおける情報記録面の記録特性のばらつき等に対応している。例えば、光ディスクが装填されて書き込みのコマンドが入力されると、順次段階的に光強度が切り換えられて試し書き用のデータが、専用試し書き領域であるＯＰＣエリアに記録され、いわゆる試し書きの処理が実行される。その後、このようにして記録された試し書き用のデータが再生され、この再生結果が所定の評価基準により判定されて、最適記録パワーが設定される。
【０００３】
より具体的には、例えば、ＤＶＤ−Ｒの場合、ＯＰＣエリアは、例えば、約４００個の１ＥＣＣブロック（クラスタ）から構成され、１ＥＣＣブロックは、例えば、１６個のセクタから構成されている。ここに、１ＥＣＣブロックとは、円盤（ディスク）状の記憶装置における管理単位であり、エラー訂正を行う際の最小の単位である。特に、この１ＥＣＣブロックは、例えば、トラック方向に約８３ｍｍの長さがあり、後述されるように、約５ｍｍの欠陥に対してエラー訂正を行なうことが可能である。他方、「セクタ」は、記録データがエラー訂正可能なプリフォーマットアドレス情報による最小データ管理単位である。またこの１セクタは、２６シンクフレームから成り、１シンクフレーム（以下、適宜ＳＦと称する。）は、アドレス構成の最小単位のプリピットから形成されている。この４ＳＦを例えば、１回のＯＰＣ処理におけるパワーステップの単位とする。
【０００４】
このパワーステップの単位によって、例えば１回のＯＰＣ処理を１１パワーステップとした場合、４４個のＳＦに対して１１段階のレーザパワーで、例えば８／１６変調されたテスト信号の最小、最大ピット長である２Ｔと８Ｔが記録されＯＰＣ処理が実行される。即ち、１回のＯＰＣ処理によって４４個のＳＦ（即ち、約１．７個のセクタ）が使用される。そして、各４ＳＦに対しては、試し書き用の記録ピット（即ち、ＯＰＣピット）を複数含んでなる所定パターンである「ＯＰＣパターン」が、パワーステップ別に記録される。
【０００５】
従って、例えば、一枚のディスク或いはこれに設けられた一つのＯＰＣエリアでは、ＥＣＣブロック総数（約４００ＥＣＣブロック）に対応する３８００回程度のＯＰＣ処理が可能となる。
【０００６】
加えて、書き込み時に、実際に書き込む場所の記録面の状態に対応してリアルタイムで記録レーザパワーと調整するランニングＯＰＣという技術も開示されている。
【０００７】
【特許文献１】
特許第３１５９４５４号公報
【特許文献２】
特開２００２−３５２５１７号公報
【発明の開示】
【発明が解決しようとする課題】
【０００８】
しかしながら、例えば、一般的な追記型光ディスクの製造方法としてスピンコート方式が多く用いられていることが一つの要因となって、該追記型光ディスクの情報記録面の場所において、記録特性のばらつきが存在する。より詳細には、内周側から外周側に向かって、最適記録パワーの値は、大きくなることが判明している。すると、この光ディスクに対して、内周側に位置するＯＰＣエリアで行なったＯＰＣ処理によって検出された最適記録パワーの値を、一定の状態のままで外周側において適用することは、情報記録面の特性に対応した適切な記録動作を行なう上で望ましくない。
【０００９】
また、同一の光ディスクに対して、異なった速度でデータを記録する場合には、最適記録パワーは記録速度に依存している。仮に、ＯＰＣエリアにおいて、１倍速で行なったＯＰＣ処理によって検出された最適記録パワーの値によって、４倍速等の異なった速度で書込みを行なうと、情報記録面の場所における記録特性に対応した適切な記録動作を行なうことは難しい。
【００１０】
これに対して、光ディスクの種類、情報記録面の場所及び記録速度に対応した記録特性を事前に調査し、ディスクドライブのファームウェアに該光ディスクの種類等のパラメータに対応した記録特性として、最適記録パワーの基準値を登録しておき、実際の記録動作時に、その登録した基準値によって、最適記録パワーの値を推測するという方法が用いられていた。そのため、ドライブのファームウェアプログラムに、最適記録パワーの値の推測のためのアルゴリズムを実装する必要がある。しかし、記録特性の変化は単調な場合ばかりではなく、指数関数的であったりもして変則的なため、正確な最適記録パワーの値の変化量の推測を行なうのは実際には困難であるという技術的問題点がある。更に、この場合、新規の光ディスクが発売されると、当該光ディスクに適切に記録するためには、その新規の光ディスクの記録特性の情報を登録するために、ディスクドライブのファームウェアプログラムを更新する必要があった。しかし、特に民生用のＤＶＤレコーダー等の場合、ユーザが自発的にファームウェアプログラムの更新を行なうことは殆ど又は完全になく、事実上、新規の光ディスクの記録特性に対応して記録動作を行うのは困難であるのが現状である。
【００１１】
本発明は、例えば上述の問題点に鑑みなされたものであり、例えば、追記型光ディスク等の情報記録媒体に対して、情報記録面における記録特性のばらつきに対応した最適記録パワーの値を的確に検出することを可能ならしめる情報記録装置、及びこのような情報記録装置において実施される最適記録パワーを検出する情報記録方法、情報記録再生装置及び方法、並びにコンピュータプログラムを提供することを課題とする。
【課題を解決するための手段】
【００１２】
（情報記録装置）
以下、本発明に係る情報記録装置について説明する。
【００１３】
本発明の情報記録装置は上記課題を解決するために、レーザ光を照射することによって、情報記録媒体のデータ領域に、所定エラー訂正方式に準拠して情報を記録可能な記録手段と、該記録手段を用いて、前記データ領域内にあって前記所定エラー訂正方式における許容欠陥長以下の長さを有するデータ領域部分に、試し書き用データを記録することにより、前記レーザ光の最適記録パワーを求める最適記録パワー検出手段と、該求められた最適記録パワーで前記データ領域に前記情報を記録するように前記記録手段を制御する制御手段とを備える。
【００１４】
本発明の情報記録装置によれば、先ず情報記録媒体が装填されると、例えば、光ピックアップ等によりシーク動作が行われ、例えば、デコーダで再生されるデータが取得される。これにより、情報記録媒体の各種処理に必要な各種管理用データが取得される。この管理用データに基づいて、例えばホスト装置又はバックエンド等からの指示に応じて、情報記録媒体へのアクセスが行われる。
【００１５】
続いて、ホスト装置等から書き込みのコマンドが入力されると、記録手段が、例えば、専用試し書き領域であるＯＰＣエリアへ移動されると共に、最適記録パワー検出手段の制御下で、順次段階的に記録レーザパワーが切り換えられて、試し書き用データが、ＯＰＣエリアに記録される。より詳細には、本発明に係る「試し書き用データ」は「ＯＰＣピット」と「ＯＰＣパターン」に分類される。例えば、ＯＰＣエリアに、最適記録パワーを検出するために、試し書きされる記録ピットを適宜「ＯＰＣピット」と称す。そして、ＯＰＣ処理用に、一段のパワーステップで（即ち、記録レーザパワーが一定で）記録される、通常複数のＯＰＣピットを含んでなるピットパターンを適宜「ＯＰＣパターン」と称する。
【００１６】
次に、このような例えば、ＯＰＣエリアにおいて試し書き用データの試し書きの完了後には、最適記録パワー検出手段による制御下で、試し書きされたＯＰＣパターンが再生され、再生されたＯＰＣパターンのサンプリングが順次行われて、最適記録パワーが求められる。尚、より詳細には、例えば、ランドプリピットにより示されたプリフォーマットアドレス情報によって、試し書き用データであるＯＰＣパターンの記録時と再生時とのタイミング合わせが可能となり、当該ＯＰＣ処理を実行可能となる。
【００１７】
特に、本発明では、ＤＶＤ−Ｒ又はＢＤ（Blu-rayDisc）−Ｒ等のライトワンスメディア（ＷＯMedia：WriteOnceMedia）、即ち、追記型の情報記録媒体のデータ領域内にあって所定エラー訂正方式における許容欠陥長以下の長さを有する、本発明に係る「データ領域部分」において、最適記録パワー検出手段の制御下で、ＯＰＣ処理が行われ、最適記録パワーが求められる。ここに、「許容欠陥長」とは、発生することが許容された欠陥の最大の長さである。より詳細には、許容欠陥長は、再生時に、例えば、１ＥＣＣブロック等の所定情報量を持ったエラー訂正単位においてランダムエラーやバーストエラー等のドロップアウトが発生してもエラー訂正によって、ユーザデータ等の情報を復元することが可能であるので、情報記録面において、発生することが許容された物理的な欠陥の最大の長さである。
【００１８】
続いて、本発明の情報記録装置によれば、制御手段の制御下で、ＯＰＣ処理が行われたデータ領域部分を、あたかも通常の未記録状態のデータ領域とみなして、記録手段によって、最適記録パワーで情報が記録される。即ち、ＯＰＣパターンが記録されたデータ領域部分には、情報が上書きされて書かれる。
【００１９】
そして、上書きされて書かれた領域の情報は、破壊されてしまうのでバーストエラー等が発生するが、許容欠陥長より小さいので、情報を復元し再生することが可能である。言い換えると、再生時に、データ領域に記録された情報を、所定エラー訂正方式でエラー訂正すれば、試し書き用データは、欠陥データと同等に扱われることになる。その際特に、試し書き用データは、所定エラー訂正方式における許容欠陥長以下の長さで記録されているので、当該所定エラー訂正方式によって、試し書き用データを欠陥の一部として、問題なく除去することができ、よって情報を問題なく再生できる。
【００２０】
よって、データ領域におけるＯＰＣ処理と、情報の正常な記録及び再生との両立を実現可能である。
【００２１】
以上より、本発明の情報記録装置によれば、内周側又は外周側のＯＰＣエリアではなく、例えば、テータエリア等のデータを実際に記録する領域において、ＯＰＣ処理が行なわれるので、光ディスクの情報記録面における記録特性のばらつきに対応した最適記録パワーの値を的確に検出することが可能となる。よって、記録特性のばらつきが未知の光ディスクに対しても、データを実際に記録する領域において、ＯＰＣ処理が行なわれ、該ＯＰＣ処理によって、検出された最適記録パワーによって、記録動作を行なうことが可能となる。
【００２２】
加えて、ＯＰＣエリアが十分に大きくない場合や、ＯＰＣエリアを使い果たしてしまった場合でも未記録状態のデータ領域が残っていればＯＰＣ処理を行なうことが可能であるので、記録動作を継続させ、光ディスクの寿命時間を延長させることが可能となる。
【００２３】
更に、データを実際に記録する領域であるテータ領域内のテータ領域部分において、ＯＰＣ処理が行われるので、内周側又は外周側等に位置するＯＰＣエリアに光ピックアップ等を移動させる必要がないので、ＯＰＣ処理にかかる時間を短縮することが可能である。
【００２４】
本発明の情報記録装置の一態様では、前記最適記録パワー検出手段は、前記データ領域部分として、前記情報が実際に記録される位置の近傍の部分を用いる。
【００２５】
この態様によれば、例えば、テータエリア等のデータを実際に記録する領域において、ＯＰＣ処理が行なわれるので、光ディスクの情報記録面における記録特性のばらつきに対応した最適記録パワーの値をより的確に検出することが可能となる。
【００２６】
本発明の情報記録装置の他の態様では、前記最適記録パワー検出手段は、前記データ領域部分として、前記許容欠陥長よりも予め設定されたマージン分だけ短い長さを有する部分を用いる。
【００２７】
この態様によれば、ＯＰＣ処理以外の本来のエラー訂正能力をマージンの範囲内で行なえる。
【００２８】
よって、データ領域におけるＯＰＣ処理と情報の正常な記録及び再生との両立をより確実に実現可能である。
【００２９】
本発明の情報記録装置の他の態様では、前記最適記録パワー検出手段は、前記データ領域部分として、前記データ領域内におけるシンク信号が記録される部分を除く部分を用いる。
【００３０】
この態様によれば、記録及び再生に必要なシンク信号の再生が妨げられることがない。
【００３１】
よって、データ領域におけるＯＰＣ処理と情報の正常な記録及び再生との両立をより確実に実現可能である。
【００３２】
本発明の情報記録装置の他の態様では、前記最適記録パワー検出手段は、前記データ領域部分として、前記情報が記録又は再生される際のトラッキングサーボにおけるトラッキングサーボエラーの許容範囲内の長さを有する部分を用いる。
【００３３】
この態様によれば、トラッキングサーボエラーの許容範囲内の長さを有する部分を用いるので、光ディスクが異なるトラッキングサーボ系のドライブで再生される場合であっても、各種トラッキングサーボについても、試し書き用データの存在によって実効不能になることはない。より詳細には、「トラッキングサーボエラーの許容範囲内の長さ」とは、異なる種類のトラッキングサーボを採用した情報記録装置によって、光ディスクが記録又は再生される時に、各種トラッキングサーボの正常な制御を行なう上で許容された物理的な欠陥の最大の長さである。尚、例えば、ＤＶＤ−Ｒ又はＢＤ−Ｒ記録装置においては、プッシュプルトラッキング方式が採用され、ＣＤ−ＲＯＭ又はＤＶＤ−ＲＯＭ再生専用ドライブにおいては位相差法によるトラッキング方式が採用されている。より具体的には、ＤＶＤ−Ｒ又はＢＤ−Ｒの場合、例えば、データ領域における未記録状態の１ＥＣＣブロックの許容欠陥長以下の長さの領域において、ＯＰＣ処理が行なわれる。特に、両方式において、許容欠陥長の約７０％程度の長さに領域においてＯＰＣ処理が行われるのが望ましい。
【００３４】
本発明の情報記録装置の他の態様では、前記最適記録パワー検出手段は、前記データ領域部分として、前記所定エラー訂正方式におけるエラー訂正単位（ＥＣＣブロック）毎に前記許容欠陥長以下の長さを有する部分を用いる。
【００３５】
この態様によれば、試し書き用データが、一つのＥＣＣブロック等のエラー訂正単位に対して許容欠陥長を超えてしまうような大きなデータである場合にも、エラー訂正単位毎にエラー訂正可能となる。
【００３６】
本発明の情報記録装置の他の態様では、前記最適記録パワー検出手段は、前記試し書き用データが前記許容欠陥長よりも長いデータである場合には、前記データ領域部分を、前記許容欠陥長以下の長さを有する部分に分割した形で、前記所定エラー訂正方式における複数のエラー訂正単位（ＥＣＣブロック）に分散させる。
【００３７】
この態様によれば、試し書き用データが、一つのＥＣＣブロック等のエラー訂正単位に対して許容欠陥長を超えてしまうような極端に巨大なデータである場合にも、エラー訂正単位毎にエラー訂正可能となる。
【００３８】
より具体的には、一回のＯＰＣ処理で、ｎ（但し、ｎは自然数）段のパワーステップで記録する場合には、ｎ個の各エラー訂正単位（ＥＣＣブロック）における許容欠陥長以下の長さを有する分割されたデータ領域部分において、ｎ個のＯＰＣパターンが異なる記録レーザパワーにて少なくとも一個ずつ分散されて記録されることになる。
【００３９】
本発明の情報記録装置の他の態様では、前記情報記録媒体は、前記データ領域とは別に前記試し書き用データを書き込むための専用試し書き領域を有し、前記最適記録パワー検出手段は、前記記録手段を用いて、前記試し書き用データを前記データ領域部分に記録する前に前記専用試し書き領域に記録することで、前記最適記録パワーを先ず求めると共に、前記専用試し書き領域を前記試し書き用データで記録し尽くした後に、前記試し書き用データを前記データ領域部分に記録する。
【００４０】
この態様によれば、通常のＯＰＣエリア等の専用試し書き領域におけるＯＰＣ処理も実施可能であり、当該情報記録装置が正常なＯＰＣ処理を行えるか否かを最初に判定可能である。よって、データ領域におけるより確実なＯＰＣ処理が実現可能となる。
【００４１】
加えて、一次的なＯＰＣ処理であるＯＰＣエリア等の専用試し書き領域を、必要最小限に小さくすることが可能となる。そして、専用試し書き領域が不足したら、二次的にデータ領域におけるＯＰＣ処理を利用することで情報記録媒体の効率的な使用が可能となる。
【００４２】
（情報記録方法）
以下、本発明に係る情報記録方法について説明する。
【００４３】
本発明の情報記録方法は上記課題を解決するために、レーザ光を照射することによって、情報記録媒体におけるデータ領域に、所定エラー訂正方式に準拠して情報を記録可能な記録手段を備えた情報記録装置における情報記録方法であって、該記録手段を用いて、前記データ領域内にあって前記所定エラー訂正方式における許容欠陥長以下の長さを有するデータ領域部分に、試し書き用データを記録することにより、前記レーザ光の最適記録パワーを求める最適記録パワー検出工程と、該求められた最適記録パワーで前記データ領域に前記情報を記録するように前記記録手段を制御する制御工程とを備える。
【００４４】
本発明の情報記録方法によれば、上述した本発明の情報記録装置の場合と同様に、内周側又は外周側のＯＰＣエリアではなく、例えば、テータエリア等のデータを実際に記録する領域において、ＯＰＣ処理が行なわれるので、光ディスクの情報記録面における記録特性のばらつきに対応した最適記録パワーの値を的確に検出することが可能となる。よって、記録特性のばらつきが未知の光ディスクに対しても、データを実際に記録する領域において、ＯＰＣ処理が行なわれ、該ＯＰＣ処理によって、検出された最適記録パワーによって、記録動作を行なうことが可能となる。
【００４５】
尚、本発明の情報記録方法においても、上述した本発明の情報記録装置についての各種態様と同様の態様を適宜採ることが可能である。
【００４６】
（情報記録再生装置）
以下、本発明に係る情報記録再生装置について説明する。
【００４７】
本発明の情報記録再生装置は上記課題を解決するために、上述した本発明の情報記録装置（但し、その各種形態も含む）と、前記情報記録媒体から前記情報を再生する再生手段とを備える。
【００４８】
本発明の情報記録再生装置によれば、上述した本発明の情報記録装置の場合と同様な各種利益を享受することができると共に、例えば光ピックアップやＲＦ検出器等を備えてなる再生手段を用いて情報を再生することが可能である。
【００４９】
尚、本発明の情報記録再生装置においても、上述した本発明の情報記録装置についての各種態様と同様の態様を適宜採ることが可能である。
【００５０】
（情報記録再生方法）
以下、本発明に係る情報記録再生方法について説明する。
【００５１】
本発明の情報記録再生方法は上記課題を解決するために、上述した本発明の情報記録方法（但し、その各種形態も含む）であって、前記情報記録媒体から前記情報を再生する再生工程とを備える。
【００５２】
本発明の情報記録再生方法によれば、上述した本発明の情報記録再生装置の場合と同様な各種利益を享受することができると共に、例えば光ピックアップやＲＦ検出器等を備えてなる再生工程を用いて情報を再生することが可能である。
【００５３】
尚、本発明の情報記録再生方法においても、上述した本発明の情報記録再生装置についての各種態様と同様の態様を適宜採ることが可能である。
【００５４】
（コンピュータプログラム）
以下、本発明に係るコンピュータプログラムについて説明する。
【００５５】
本発明の第１コンピュータプログラムは上記課題を解決するために、上述した本発明の情報記録装置（但し、その各種形態も含む）に備えられたコンピュータを制御する記録制御用のコンピュータプログラムであって、該コンピュータを、前記記録手段、前記最適記録パワー検出手段及び前記制御手段として機能させる。
【００５６】
本発明の第１コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、例えば、通信手段等を介してコンピュータにダウンロードさせた後に実行させれば、上述した本発明の情報記録装置を比較的簡単に実現できる。
【００５７】
尚、本発明の第１コンピュータプログラムにおいても、上述した本発明の情報記録装置についての各種態様と同様の態様を適宜採ることが可能である。
【００５８】
本発明の第２コンピュータプログラムは上記課題を解決するために、上述した本発明の情報記録再生装置（但し、その各種形態も含む）に備えられたコンピュータを制御する記録再生制御用のコンピュータプログラムであって、該コンピュータを、前記情報記録装置及び前記再生手段として機能させる。
【００５９】
本発明の第２コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、例えば、通信手段等を介してコンピュータにダウンロードさせた後に実行させれば、上述した本発明の情報記録再生装置を比較的簡単に実現できる。
【００６０】
尚、本発明の第２コンピュータプログラムにおいても、上述した本発明の情報記録再生装置についての各種態様と同様の態様を適宜採ることが可能である。
【００６１】
コンピュータ読取可能な媒体内の第１コンピュータプログラム製品は上記課題を解決するために、本発明の情報記録装置（但し、その各種態様を含む）に備えられたコンピュータにより実行可能なプログラム命令を明白に具現化し、該コンピュータを、前記記録手段、前記最適記録パワー検出手段及び前記制御手段として機能させる。
【００６２】
本発明の第１コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の前記記録手段、前記最適記録パワー検出手段及び前記制御手段を比較的容易に実施可能となる。更に具体的には、当該コンピュータプログラム製品は、上述した前記記録手段、前記最適記録パワー検出手段及び前記制御手段として機能させるコンピュータ読取可能なコード（或いはコンピュータ読取可能な命令）から構成されてよい。
【００６３】
コンピュータ読取可能な媒体内の第２コンピュータプログラム製品は上記課題を解決するために、本発明の情報記録再生装置（但し、その各種態様を含む）に備えられたコンピュータにより実行可能なプログラム命令を明白に具現化し、該コンピュータを、前記情報記録装置及び前記再生手段として機能させる。
【００６４】
本発明の第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の前記情報記録装置及び前記再生手段を比較的容易に実施可能となる。更に具体的には、当該コンピュータプログラム製品は、上述した前記情報記録装置及び前記再生手段として機能させるコンピュータ読取可能なコード（或いはコンピュータ読取可能な命令）から構成されてよい。
【００６５】
本発明のこのような作用及び他の利得は次に説明する実施例から明らかにされる。
【００６６】
以上説明したように、本発明の情報記録装置及び方法、並びに、情報記録再生装置及び方法によれば、記録手段、最適記録パワー検出手段及び工程、並びに、制御手段及び工程を備えているので、テータ領域において、ＯＰＣ処理が行なわれるので、光ディスクの情報記録面における記録特性のばらつきに対応した最適記録パワーの値を的確に検出することが可能となる。また、本発明の記録制御用のコンピュータプログラムによれば、テータエリア等のデータを実際に記録する領域において、ＯＰＣ処理が行なわれるので、光ディスクの情報記録面における記録特性のばらつきに対応した最適記録パワーの値を的確に検出することが可能となる。また、本発明の記録再生制御用のコンピュータプログラムによれば、テータエリア等のデータを実際に記録する領域において、ＯＰＣ処理が行なわれるので、光ディスクの情報記録面における記録特性のばらつきに対応した最適記録パワーの値を的確に検出することが可能となる。
【図面の簡単な説明】
【００６７】
【図１】本発明の情報記録装置の記録対象である情報記録媒体の一実施例である光ディスクの基本構造を示し、上側部分は複数の記録領域を有する光ディスクの概略平面図であり、これに対応付けられる下側部分は、その径方向における記録領域構造の図式的概念図である。
【図２】本発明の情報記録装置の第１実施例に係る情報記録再生装置の基本構成を概念的に示すブロック図である。
【図３】本発明の情報記録装置の第１実施例に係る情報記録再生装置における１１パワーステップの場合の１回のＯＰＣ処理を示した模式的タイミングチャート図である。
【図４】本発明の情報記録装置の第１実施例に係る情報記録再生装置における１１パワーステップの場合の１回のＯＰＣ処理における再生ＲＦ信号を示した図式的信号振幅図である。
【図５】本発明の情報記録装置の第１実施例に係る情報記録再生装置における１回のＯＰＣ処理におけるパワーステップ毎のアシンメトリー値をプロットしたグラフ図である。
【図６】本発明の情報記録装置の第１実施例に係る情報記録再生装置における１回のＯＰＣ処理のうち、一つのパワーステップの詳細を示した波形図である。
【図７】本発明の情報記録装置の第１実施例に係る情報記録再生装置によるＯＰＣ処理及び記録動作の流れを示したフローチャート図である。
【図８】本発明の情報記録装置の第１実施例に係る情報記録再生装置によって、１ＥＣＣブロック内においてＯＰＣ処理が行われる相対的な位置を示した図式的概念図である。
【図９】一般的な光ディスクの半径方向に対する最適記録パワーの値をプロットしたグラフ図である。
【図１０】本発明の情報記録装置の第２実施例に係る情報記録再生装置によるＯＰＣ処理の分割を示した図式的概念図である。
【図１１】本発明の情報記録装置の第２実施例に係る情報記録再生装置によって、分割されたＯＰＣ処理が複数のＥＣＣブロックに分散された構造を示した図式的概念図である。
【図１２】本発明の情報記録装置の第３、第４及び第５実施例に係る情報記録再生装置によって、分割されたＯＰＣ処理が複数のＥＣＣブロックに分散されて行なわれた構造を示した図式的概念図（図１２（ａ）、図１２（ｂ）及び図１２（ｃ））、である。
【図１３】本発明の情報記録装置の第３実施例に係る情報記録再生装置によって、分割されたＯＰＣ処理が１ＥＣＣブロックに２個記録された様子を示した図式的概念図である。
【図１４】本発明の情報記録装置の第３実施例に係る情報記録再生装置によって、分割されたＯＰＣ処理が記録されたＥＣＣブロックの直前に位置するＥＣＣブロックにマーカー情報が記録された構造を示した図式的概念図である。
【符号の説明】
【００６８】
１…センターホール、１０…トラック、１１…セクタ、１００…光ディスク、１０１…リードインエリア、１０２…データエリア、１０３…リードアウトエリア、２００及び２０１…ＯＰＣエリア、３００…情報記録再生装置、３１０…光ピックアップ、３１１…ヘッドアンプ、ＲＦ検出器…３１２、サーボユニット…３１５、ＬＤドライバ…３２０、３２５…ウォブル検出器、３２６…ＬＰＰデータ検出器、３３０…エンベロープ検波器、３４０…ＯＰＣパターン発生器、３４５…タイミング生成器、３５０…データ収集器、３６０…バッファ、３７０…ＤＶＤモジュレータ、３８０…データＥＣＣ生成器、３８５…バッファ、３９０…インタフェース、４００…ＣＰＵ、ＬＢ…レーザ光
【００６９】
以下、本発明を実施するための最良の形態について実施例毎に順に図面に基づいて説明する。
【００７０】
（情報記録装置の第１実施例）
次に、図１から図９を参照して、本発明の情報記録装置の第１実施例の構成及び動作、並びに本発明の情報記録装置の第１実施例の記録対象となる情報記録媒体について詳細に説明する。
【００７１】
（情報記録媒体）
先ず、図１を参照して本発明の情報記録装置の第１実施例の記録対象となる情報記録媒体に係る光ディスクの基本構造について説明する。ここに図１は、本発明の情報記録装置の記録対象である情報記録媒体の一実施例である光ディスクの基本構造を示し、上側部分は複数の記録領域を有する光ディスクの概略平面図であり、これに対応付けられる下側部分は、その径方向における記録領域構造の図式的概念図である。
【００７２】
本実施例に係る情報記録媒体は、各種の破壊書込み方式により一回だけ記録が可能であると共に多数回に亘って再生が可能である追記型光ディスクからなる。
【００７３】
図１に示すように、光ディスク１００は、例えば、ＤＶＤと同じく直径１２ｃｍ程度のディスク本体上の記録面に、センターホール１を中心として内周側から外周側に向けて、本実施例に係るＯＰＣエリア２００、リードインエリア１０１、本発明の「データ領域」の一例を構成するデータエリア１０２、及びリードアウトエリア１０３が設けられている。尚、リードアウトエリア１０３の外周側に、更に、ＯＰＣエリア２０１が設けられていてもよい。
【００７４】
そして、各記録領域には、例えば、センターホール１を中心にスパイラル状或いは同心円状に、例えば、グルーブトラック及びランドトラック等のトラック１０が交互に設けられている。また、トラック１０上には、データがセクタ１１という単位が例えば１６個集まったエラー訂正可能な管理単位であるＥＣＣブロックにて記録される。
【００７５】
リードインエリア１０１及びリードアウトエリア１０３には、データの記録再生を制御又は管理するための各種情報が記録される。例えば、制御情報は、データエリア１０２への記録及び読取を制御する情報であり、例えば、情報記録媒体の属性や種類などを示す情報、データのアドレス管理をするための情報、例えばディスクドライブ等の情報記録再生装置の記録動作及び読取動作を制御するための情報などである。
【００７６】
データエリア１０２には、ユーザデータ等のデータが記録される。尚、情報記録媒体に記録される制御情報及び管理情報とデータとはそれらの内容に応じて常に明確に区別できるものではない。しかし、制御情報及び管理情報は主として例えばディスクドライブ等の情報記録再生装置の動作制御に直接的に用いられる情報であるのに対し、データは情報記録再生装置では主として単なる記録又は読取の対象となるだけのデータであり、主として例えばバックエンド又はホストコンピュータのデータ再生処理ないしプログラム実行処理において用いられるデータである。このような性質の違い等に応じて、データはデータエリア１０２に記録され、制御情報及び管理情報は、リードインエリア１０１並びにリードアウトエリア１０３に記録される。
【００７７】
ＯＰＣエリア２００及び２０１とは、後述されるＯＰＣ処理、即ち、最適記録パワーの検出、即ち、記録レーザパワーのキャリブレーション（較正）の際に使用される記録領域である。
【００７８】
特に、本実施例においては、図１に示した如き５つの記録領域を有する光ディスク１００には限定されない。例えば、ＯＰＣエリア２００は、最内周に位置してなくてもよく、例えば、図１中で、リードインエリア１０１内、データエリア１０２内、又はリードアウトエリア１０３内等に位置してもよいし、若しくは、リードインエリア１０１とデータエリア１０２との間、データエリア１０２とリードアウトエリア１０３との間、又はリードアウトエリア１０３の外周側などに位置してもよい。また、リードインエリア１０１やリードアウトエリア１０３の存在も任意であり、ＯＰＣピット或いはＯＰＣパターンが記録されるＯＰＣエリア２００と記録データが記録されるデータエリア１０２との二つの記録領域が少なくとも設けられていればよい。加えて、このようなＯＰＣエリアは、一つにまとめられて配置されてもよいし、複数に分割されて配置されてもよい。
【００７９】
（情報記録再生装置）
次に、図２を参照して本発明の情報記録装置の第１実施例に係る情報記録再生装置の基本構成について説明する。ここに、図２は、本発明の情報記録装置の第１実施例に係る情報記録再生装置の基本構成を概念的に示すブロック図である。
【００８０】
図２に示すように、本実施例に係る情報記録再生装置３００は、スピンドルモータ、光ピックアップ３１０、ヘッドアンプ３１１、ＲＦ検出器３１２、サーボユニット３１５、ＬＤドライバ３２０、ウォブル検出器３２５、ＬＰＰデータ検出器３２６、エンベロープ検波器３３０、ＯＰＣパターン発生器３４０、タイミング生成器３４５、データ収集器３５０、バッファ３６０、ＤＶＤモジュレータ３７０、データＥＣＣ生成器３８０、バッファ３８５、インタフェース３９０及びＣＰＵ（CentralProcessingUnit）４００を備えて構成されている。
【００８１】
スピンドルモータは、サーボユニット３１５等によりスピンドルサーボを受けつつ所定速度で光ディスク１００を回転させるように構成されている。
【００８２】
光ピックアップ３１０は、光ディスク１００への記録又は再生を行うもので、半導体レーザ装置、各種レンズ、アクチュエータ等から構成される。より詳細には、光ピックアップ３１０は、光ディスク１００に対してレーザ光を、再生時には読み取り光として第１のパワーで照射し、記録時には書き込み光として第２のパワーで且つ変調させながら照射する。光ピックアップ３１０は、サーボユニット３１５により駆動される図示しないアクチュエータ、スライダ等により光ディスク１００の半径方向等に移動できるように構成されている。
【００８３】
ヘッドアンプ３１１は、光ピックアップ３１０の出力信号（即ち、レーザ光ＬＢの反射光）を増幅し、該増幅した信号を出力する。具体的には、読取信号たるＲＦ信号がＲＦ検出器３１２及びエンベロープ検波器３３０に出力され、プッシュプル信号がウォブル検出器３２５やＬＰＰデータ検出器３２６へ出力される。
【００８４】
ＲＦ検出器３１２は、ＲＦ信号を検出し、復調等を施すことで、再生データをバッファ３８５及びインタフェース３９０経由で外部へ出力可能に構成されている。そして、インタフェース３９０に接続された外部出力機器（例えば、液晶ディスプレイやプラズマディスプレイ等の表示デバイス、或いはスピーカ等）において、所定のコンテンツが再生出力されることとなる。
【００８５】
サーボユニット３１５は、光ピックアップ３１０の受光結果を処理して得られるトラッキングエラー信号及びフォーカスエラー信号等に基づいて、光ピックアップ３１０の対物レンズを移動し、これによりトラッキング制御及びフォーカス制御等の各種サーボ処理を実行する。また、光ディスク１００におけるウォブリングされたグルーブトラックのウォブルから得られるウォブル信号を基準にして、スピンドルモータをサーボ制御するように構成されている。
【００８６】
ＬＤドライバ３２０は、後述のＯＰＣ処理時には、後述のＯＰＣパターンの記録及び再生処理により最適記録パワーの決定が行えるように、光ピックアップ３１０内に設けられた半導体レーザを駆動する。その後、ＬＤドライバ３２０は、データ記録時には、ＯＰＣ処理により決定された最適記録パワーで、光ピックアップ３１０の半導体レーザを駆動するように構成されている。このデータ記録時には、最適記録パワーは、記録データに応じて変調される。
【００８７】
尚、上述したスピンドルモータ、光ピックアップ３１０、サーボユニット３１５及びＬＤドライバ３２０等を含めて、本発明に係る「記録手段」の一具体例を構成している。
【００８８】
ウォブル検出器３２５は、光ピックアップ３１０内に設けられた反射光ビームを受光する検出器たるヘッドアンプ３１１からの受光量に応じた出力信号に基づいて、ウォブル信号を示すプッシュプル信号を検出すると共にタイミング生成器３４５へ出力するように構成されている。
【００８９】
ＬＰＰデータ検出器３２６は、光ピックアップ３１０内に設けられた反射光ビームを受光する検出器たるヘッドアンプ３１１からの受光量に応じた出力信号に基づいて、ＬＰＰ信号を示すプッシュプル信号を検出し、例えば後述の如くプリフォーマットアドレス情報を検出可能に構成されている。そして、当該プリフォーマットアドレス情報をタイミング生成器３４５へ出力可能に構成されている。
【００９０】
エンベロープ検波器３３０は、ＯＰＣ処理におけるＯＰＣパターンの再生時に、ＣＰＵ４００の制御下で、最適記録パワーを決定するために、ヘッドアンプ３１１からの出力信号たるＲＦ信号のエンベロープ検波のピーク値及びボトム値を検出するように構成されている。係るエンベロープ検波器３３０は、例えばＡ／Ｄ（Analog/Digital）コンバータ等を含んでいるように構成されてもよい。
【００９１】
ＯＰＣパターン発生器３４０は、記録動作前のＯＰＣ処理におけるＯＰＣパターンの記録時に、タイミング生成器３４５からのタイミング信号に基づいて、ＯＰＣパターンを示す信号を、ＬＤドライバ３２０に対して出力するように構成されている。
【００９２】
タイミング生成器３４５は、ＯＰＣ処理におけるＯＰＣパターンの記録時に、ＬＰＰデータ検出器３２６より入力されるプリフォーマットアドレス情報に基づき、該プリフォーマットアドレス情報（例えば、ＡＤＩＰワード）の管理単位を基準とした絶対位置情報を検出する。それと同時に、ウォブル信号を示すプッシュプル信号の周期に基づいて、プリフォーマットアドレス情報の管理単位より小さいスロット単位（例えば、ウォブル信号の一周期の自然数倍の長さに相当するスロット単位）を基準とした相対位置情報を検出する。よって、タイミング生成器３４５は、ＯＰＣ処理における記録開始位置がプリフォーマットアドレス情報の管理単位、即ち、各ＡＤＩＰワードの境界から開始されるか否かにかかわらず、その記録開始位置を特定することが可能であり、以後、ウォブル検出器３２５から出力されたウォブル信号を示すプッシュプル信号の周期に基づいて、ＯＰＣパターンを書き込むタイミング信号を生成して出力する。他方、タイミング生成器３４５は、ＯＰＣ処理におけるＯＰＣパターンの再生時に、記録時と同様にして、その再生開始位置を特定することが可能であり、以後、ウォブル検出器３２５から出力されたウォブル信号を示すプッシュプル信号の周期に基づいて、再生されたＯＰＣパターンをサンプリングするタイミング信号を生成して出力する。
【００９３】
データ収集器３５０は、主としてメモリ一般である。例えば、外付ＲＡＭ等から構成されている。エンベロープ検波器３３０で検波されたエンベロープがデータ収集器３５０に格納され、これに基づいて、ＣＰＵ４００における最適記録パワーの検出、即ち、ＯＰＣ処理が実行される。
【００９４】
バッファ３６０は、ＤＶＤモジュレータ３７０より変調された記録データを格納し、ＬＤドライバ３２０に出力可能に構成されている。
【００９５】
ＤＶＤモジュレータ３７０は、記録データに対してＤＶＤ変調を施し、バッファ３６０に出力可能に構成されている。ＤＶＤ変調として、例えば８／１６変調が施されてもよい。
【００９６】
データＥＣＣ生成器３８０は、インタフェース３９０より入力される記録データに対してエラー訂正用の符号を付加する。具体的には、所定のブロック単位（例えば、ＥＣＣクラスタ単位）毎にＥＣＣコードを付加し、ＤＶＤモジュレータ３７０へ出力する。
【００９７】
バッファ３８５は、ＲＦ検出器３１２から出力される再生データを格納し、インタフェース３９０を介して、外部出力機器へ出力する。
【００９８】
インタフェース３９０は、外部入力機器より記録データ等の入力を受け付け、データＥＣＣ生成器３８０へ出力する。また、例えばスピーカやディスプレイ等の外部出力機器に対して、ＲＦ検出器３１２より出力される再生データを出力可能に構成されていてもよい。
【００９９】
ＣＰＵ４００は、最適記録パワーを検出するために、例えば、ＬＤドライバ３２０、サーボユニット３１５等の各手段へ指示する、即ちシステムコマンドを出力することで、情報記録再生装置３００全体の制御を行う。通常、ＣＰＵ４００が動作するためのソフトウェアは、内部又は外部のメモリ内に格納されている。
【０１００】
尚、上述したＣＰＵ４００、エンベロープ検波器３３０、ＯＰＣパターン発生器３４０、タイミング生成器３４５及びＬＤドライバ３２０等を含めて、本発明に係る「最適記録パワー検出手段」の一具体例を構成している。
【０１０１】
尚、図２に示す情報記録再生装置３００は、概ね光ピックアップ３１０、ＬＤドライバ３２０、バッファ３６０、ＤＶＤモジュレータ３７０、データＥＣＣ生成器３８０、その他の構成要素によりデータの記録が可能な情報記録装置として機能し、また概ね光ピックアップ３１０、ヘッドアンプ３１１、ＲＦ検出器３１２、その他の構成要素によりデータの再生が可能な情報再生装置としても機能することはいうまでもない。
【０１０２】
次に図３から図６を参照して、本発明の情報記録装置の第１実施例に係る情報記録再生装置による最適記録パワーを検出するＯＰＣ処理、即ち記録レーザパワーのキャリブレーションについて説明する。ここに「最適記録パワー」とは、文字通り情報の記録に最も適したレーザパワーを示すことに限らず、記録時においてより適切に情報を記録することできる程度のレーザパワーをも含んだ広い趣旨である。より具体的には、アシンメトリーの影響を最小にし、例えば記録特性の品質を表すジッタ値が最小付近となるような最も優れた再生品質が得られるように記録するための記録レーザパワーである。また、「アシンメトリー（Ａｓｙｍｍｅｔｒｙ）」とは、光ディスクの量産時に短ピット又は長ピットがその長さ方向の前後に同じ量だけ、少しずつ長く、或いは短くなる現象である。本実施例では、後述される「アシンメトリー値」によってこのアシンメトリーの影響の度合いが定量的に示される。ここに、図３は、本発明の情報記録装置の第１実施例に係る情報記録再生装置における１１パワーステップの場合の１回のＯＰＣ処理を示した模式的タイミングチャート図である。図４は、本発明の情報記録装置の第１実施例に係る情報記録再生装置における１１パワーステップの場合の１回のＯＰＣ処理における再生ＲＦ信号を示した図式的概念図である。図５は、本発明の情報記録装置の第１実施例に係る情報記録再生装置における１回のＯＰＣ処理におけるパワーステップ毎のアシンメトリー値をプロットしたグラフ図である。ここに、「パワーステップ」とは、ＯＰＣ処理において、最適記録パワーを検出するために、記録レーザの光強度（パワー）を切り換える段階のことである。図６は、本発明の情報記録装置の第１実施例に係る情報記録再生装置における１回のＯＰＣ処理のうち、一つのパワーステップの詳細を示した波形図である。
【０１０３】
図３において、グラフ（ａ）の縦軸は、記録レーザパワーの値を示し、横軸は、パワーステップごとに時分割された時間軸を示す。グラフ（ｂ）は、生成された記録レーザが、例えば２Ｔパルスの短ピットパルス用と、例えば８Ｔパルスの長ピットパルス用とに交互に切り換えられて照射される時間区間を示す。グラフ（ｃ）は、例えば１１個の異なるレーザパワーのキャリブレーションのために記録レーザが照射されるタイミングを矢印で示す。グラフ（ｄ）の縦軸は、再生ＲＦ信号の振幅電圧を示す。グラフ（ｅ）は、再生ＲＦ信号の振幅中心電圧を算出するためのサンプリングタイミングを矢印で示す。
【０１０４】
本実施例においては、光ディスクのＯＰＣエリアには、図３のグラフ（ａ）で示されるように、キャリブレーション用の記録レーザが、例えば１１個のパワーステップごとに時分割されて、１１個の異なるレーザパワーで照射される。この際、各パワーステップにおいて、例えば、２―３変調した信号の最短ピットと最長ピットのテスト信号である例えば２Ｔパルスの短ピットパルスと、例えば８Ｔパルスの長ピットパルスとが交互に切換えられて生成された記録レーザが照射され、記録が行われる。ここでは、図３に示したように、一つのパワーステップの前半が、短ピットパルスを記録するための時間に割り当てられ、“短ピット区間”とされる。他方、該一つのパワーステップの後半が、長ピットパルスを記録するための時間に割り当てられ、“長ピット区間”とされる。
【０１０５】
尚、図４に示されるように、一回のＯＰＣ処理は、前述したように、ランドプリピット（Land Pre Pit）を基準とした時間軸に対して、ＲＦ信号が再生される。この一回のＯＰＣ処理に必要な情報記録面のトラック方向における長さは、例えば、ＢＤ−Ｒの場合、約１０ｍｍである。また、ＤＶＤ−Ｒの場合、例えば、１１パワーステップから構成される一回のＯＰＣ処理に必要なトラック方向における長さは、約８．５ｍｍである。
【０１０６】
図５に示されるように、本実施例では、“アシンメトリー値＝０”となるパワーステップに対応するレーザパワーが最適記録パワーとして決定される。尚、図５の縦軸は、このようなアシンメトリー値“ｅ−ｆ”を示し、横軸はパワーステップを示す。矢印は、“ｅ＝ｆ”となり、“アシンメトリー値＝０”となるパワーステップを示す。
【０１０７】
以上のように本実施例における最適記録パワーの検出、即ち、記録レーザパワーのキャリブレーション（較正）は、“アシンメトリー値＝０”となるパワーステップに対応する最適記録パワーを求めることとして実施される。特に、ＯＰＣパターンの記録時とＯＰＣパターンの再生時とでは、所定の基準によって、両者間のタイミング合わせが可能とされている。
【０１０８】
尚、１回のＯＰＣ処理におけるパワーステップの数は、１１個に限らず、例えば１０〜２０個程度でもよい。或いは、それ以下でもよいし、それ以上でもよい。また、本実施例では、２Ｔマークと８Ｔマークとを用いてＯＰＣパターンを構成しているが、これら以外の３Ｔマーク、７Ｔマーク等を用いることも可能である。
【０１０９】
特に、本実施例では、例えば、ＤＶＤ−Ｒの場合、１パワーステップのトラック方向の長さは、約０．７７ｍｍである。
【０１１０】
次に、図６に示されるように、本実施例では、各パワーステップについて、一つの短ピット区間に複数個（図６では、５個）の２Ｔマークが２Ｔパルスによって記録され、一つの長ピット区間に複数個（図６では、２個）の８Ｔマークが８Ｔパルスによって記録される。このような短ピット区間と長ピット区間との一対が、即ち、所定パターンを有する複数のＯＰＣピットが、「ＯＰＣパターン」とされる。図６に示した如きＯＰＣパターンが、レーザパワーが順次切り替えられつつ、パワーステップの回数だけ（即ち１１回）繰り返し記録されることで、１回のＯＰＣ処理が完了する。
【０１１１】
以上の如き１回のＯＰＣ処理によって、図６に示した如き各パワーステップに対するＯＰＣパターンの記録が１１パワーステップについて完了すると、その後、これを再生する処理が行われる。具体的には、１１パワーステップ分のＯＰＣパターンの記録完了後に、ＯＰＣエリアに照射されるレーザが、記録レーザから再生レーザへと切り替えられ（例えば、レーザパワーが記録レーザパワーと比べて顕著に弱い再生レーザパワーへと変えられ）、該再生レーザの照射によって、エンベロープ検波等を含む再生処理が次のように行われる。
【０１１２】
ＯＰＣ処理における再生時には、例えば短ピット区間に形成されたＯＰＣピット（即ち、２Ｔマーク）に対応する再生ＲＦ信号のエンベロープのピーク値とボトム値が図３のグラフ（ｅ）で示されたサンプリングタイミングでサンプリングされ、振幅中心電圧が算出される。グラフ（ｅ）では、この算出された振幅中心電圧の各パワーステップの値が黒丸でプロットされ、それらの値を結んだ補間線が黒線で示されている。同様にして、例えば長ピット区間に形成されたＯＰＣピット（即ち、８Ｔマーク）に対応する再生ＲＦ信号の算出された振幅中心電圧の各パワーステップの値が白丸でプロットされ、それらの値を結んだ補間線が点線で示されている。この２つの補間線の交点が二重丸で示され、この交点に対応するパワーステップのレーザパワーが、最適記録パワーとして決定される。
【０１１３】
より詳細には、図６に示すように、短ピット区間に再生される再生ＲＦ信号のエンベロープのピーク値を“ａ”とし、ボトム値を“ｂ”とする。尚、“ａ”と“ｂ”は、前述のように、サンプリングタイミング時に収集される。この両者の平均値、即ち、算出された振幅中心電圧を“ｅ”とする。即ち“ｅ＝（ａ＋ｂ）／２”である。同様にして、長ピット区間に再生される再生ＲＦ信号のエンベロープのピーク値を“ｃ”、ボトム値を“ｄ”、そして、算出された振幅中心電圧を“ｆ＝（ｃ＋ｄ）／２”とする。
【０１１４】
本実施例では、アシンメトリーの影響の度合いを“ｅ”と“ｆ”との比較によって判定する。図６においては、振幅中心電圧“ｅ”が“ｆ”より大きく両者は一致していない。即ち、前述した「アシンメトリー値」を“ｅ−ｆ”と定義する。そして、“ｅ＝ｆ”となり、“アシンメトリー値＝０”となるパワーステップに対応するレーザパワーを最適記録パワーと決定する。
【０１１５】
（情報記録装置の第１実施例に係る情報記録再生装置よるＯＰＣ処理及び記録動作の流れ）
次に図７及び図８を参照して、本発明の情報記録装置の第１実施例に係る情報記録再生装置による、ＯＰＣ処理、及び記録動作の流れについて説明する。図７は、本発明の情報記録装置の第１実施例に係る情報記録再生装置によるＯＰＣ処理及び記録動作の流れを示したフローチャート図である。図８は、本発明の情報記録装置の第１実施例に係る情報記録再生装置によって、１ＥＣＣブロック内においてＯＰＣ処理が行われる相対的な位置を示した図式的概念図である。
【０１１６】
先ず、図７において、光ディスク１００が装填されると、先ず、ＣＰＵ４００の制御下で、光ピックアップ３１０によりシーク動作が行われる。そして、光ディスク１００への記録処理に必要な各種管理情報が取得されると同時に、光ディスク１００のメディアタイプの識別が行なわれ、例えばＢＤ（Blu-ray Disc）として識別される（ステップＳ１０１）。
【０１１７】
続いて、識別された光ディスク１００ごとに規定されているＰＣＡにおいて、通常のＯＰＣ処理が一回だけ行われる（ステップＳ１０２）。より詳細には、このことにより、ドライブが正常に記録動作を行なえるかどうかを判定することが可能となる。
【０１１８】
続いて、データエリア内の未記録領域が検出される（ステップＳ１０３）。
【０１１９】
続いて、ステップＳ１０３で検出された未記録領域内で、後述されるマーカー情報が記録されているか否かを判定することによって、ＯＰＣ処理が行われていない領域が検出される（ステップＳ１０４）。
【０１２０】
続いて、光ディスク１００のメディアタイプが、例えばＤＶＤ−Ｒであるか否かが判定される（ステップＳ１０５）。ここで、光ディスク１００のメディアタイプが、ＤＶＤではなく、例えば、ＢＤである場合（ステップＳ１０５：Ｎｏ）、ステップＳ１０３及びステップＳ１０４において検出された記録特性を知りたい領域の１ＥＣＣブロックの中心部又は後半部においてＯＰＣ処理が行われる（ステップＳ１０６）。何故ならば、一回のＯＰＣ処理が許容欠陥長に収まるからである。より具体的には、ＢＤは、例えば、１ＥＣＣブロックの長さ（約８３ｍｍ）に対して、約１０ｍｍの長さのバーストエラー等をエラー訂正することが可能である。即ち、許容欠陥長は約１０ｍｍである。また、ＢＤの場合、一回のＯＰＣ処理に必要な長さは約１０ｍｍである。よって、図８で示されるように、約１０ｍｍの長さが必要な一回のＯＰＣ処理が、約８３ｍｍの長さの１ＥＣＣブロックの例えば、中心部又は後半部において行なわれることによって、記録領域が破壊等されても十分にエラー訂正し、ユーザデータを復元することが可能である。尚、１ＥＣＣブロック内の１６個のセクタのうち先頭のセクタには、同期信号が記録されているので、１ＥＣＣブロックの先頭部においては、ＯＰＣ処理を行なわないほうが好ましい。
【０１２１】
他方、光ディスク１００のメディアタイプが、例えば、ＤＶＤ−Ｒである場合には（ステップＳ１０５：Ｙｅｓ）、第２実施例として後述される。
【０１２２】
続いて、ＣＰＵの制御下で、ステップＳ１０６のＯＰＣ処理で検出された最適記録パワーによって、光ピックアップがレーザ光を照射するように、設定される（ステップＳ１０７）。
【０１２３】
続いて、ステップＳ１０６又は後述されるステップＳ２０３のＯＰＣ処理で検出された最適記録パワーによって、ＯＰＣ処理が行われた当該少なくとも一つのＥＣＣブロックの直前又は直後におけるＥＣＣブロックの所定範囲内の位置において、ＯＰＣ処理が行われたか否かを示すマーカー情報が記録される（ステップＳ１０８）。尚、このマーカー情報の記録の詳細については後述される。
【０１２４】
続いて、ステップＳ１０６又は後述されるステップＳ２０３のＯＰＣ処理で検出された最適記録パワーによってユーザデータ等の実際のデータの記録が行なわれる（ステップＳ１０９）。
【０１２５】
続いて、ＣＰＵの制御の下で、記録動作を終了するか否かが判定される（ステップＳ１１０）。即ち、当該記録動作において記録すべきデータを全て記録したか否か、或いはユーザから記録動作の終了の指示がなされているか否かが判定される。
【０１２６】
この判定の結果、記録動作を終了すると判定された場合には（ステップＳ１１０：Ｙｅｓ）、記録動作は終了される。他方、記録動作を終了しないと判定された場合には（ステップＳ１１０：Ｎｏ）、再度ステップＳ１０９に戻り記録動作は継続される。
【０１２７】
次に、図９に加えて前述した図１を適宜参照して、本発明の情報記録装置の第１実施例の作用効果について検討を加える。ここに、図９は、一般的な光ディスクの半径方向に対する最適記録パワーの値をプロットしたグラフ図である。尚、図９において、縦軸は、最適記録パワーの値（ｍＷ）を示し、横軸は、半径方向の位置（ｍｍ）を示す。
【０１２８】
図９に示されるように、例えば、一般的な追記型光ディスクの製造方法としてスピンコート方式が多く用いられていることが一つの要因となって、該追記型光ディスクの情報記録面の場所において、記録特性のばらつきが存在する。より詳細には、内周側から外周側に向かって、最適記録パワーの値は、大きくなることが判明している。すると、この光ディスクに対して、内周側に位置するＯＰＣエリア２００で行なったＯＰＣ処理によって検出された最適記録パワーの値を、一定の状態のままで外周側において適用することは、情報記録面の特性に対応した適切な記録動作を行なう上で望ましくない。他方、内周側に位置するＯＰＣエリア２００に加えて、外周側に位置するＯＰＣエリア２０１で行なったＯＰＣ処理によって検出された最適記録パワーの値を、適用しても、外周側から内周側に向かう途中における、最適記録パワーの値の変化量が判明されていないため、同様に情報記録面の場所における記録特性に対応した適切な記録動作を行なうことは難しい。
【０１２９】
従って、内周側又は外周側に位置するＯＰＣエリア２００又は２０１で行なったＯＰＣ処理によって検出された最適記録パワーの値が、例えば光ディスクの中周部等の、ＯＰＣエリア２００又は２０１から離れた場所では適切な値として使用できないという技術的問題点がある。
【０１３０】
また、同一の光ディスクに対して、異なった速度でデータを記録する場合には、最適記録パワーは記録速度に依存している。仮に、ＯＰＣエリア２００において、１倍速で行なったＯＰＣ処理によって検出された最適記録パワーの値によって、４倍速等の異なった速度で書込みを行なうと、情報記録面の場所における記録特性に対応した適切な記録動作を行なうことは難しいという技術的問題点もある。
【０１３１】
以上のような技術的問題点に対して、光ディスクの種類、情報記録面の場所及び記録速度に対応した記録特性を事前に調査し、ディスクドライブのファームウェアに該光ディスクの種類等のパラメータに対応した記録特性に最適記録パワーの基準値を登録しておき、実際の記録動作時に、その登録した基準値によって、最適記録パワーの値を推測するという方法が用いられていた。そのため、ドライブのファームウェアプログラムに、最適記録パワーの値の推測のためのアルゴリズムを実装する必要がある。しかし、記録特性の変化は単調な場合ばかりではなく、指数関数的であったりもして変則的なため、正確な最適記録パワーの値の変化量の推測を行なうのは実際には困難であるという新たな技術的問題点もある。
【０１３２】
これに対して、図１から図８を参照して説明した本発明の情報記録装置の第１実施例に係る情報記録再生装置によれば、内周側又は外周側のＯＰＣエリア２００又は２０１ではなく、例えば、テータエリア１０２等のデータを実際に記録する領域において、ＯＰＣ処理が行なわれるので、光ディスクの情報記録面における記録特性のばらつきに対応した最適記録パワーの値を的確に検出することが可能となる。よって、記録特性のばらつきが未知の光ディスクに対しても、データを実際に記録する領域において、ＯＰＣ処理が行なわれ、該ＯＰＣ処理によって、検出された最適記録パワーによって、記録動作を行なうことが可能となる。
【０１３３】
加えて、ＯＰＣエリア２００等が十分に大きくない場合や、ＯＰＣエリアを使い果たしてしまった場合でも未記録状態のデータエリアが残っていればＯＰＣ処理を行なうことが可能であるので、記録動作を継続させ、光ディスクの寿命時間を延長させることが可能となる。
【０１３４】
更に、例えば、テータエリア１０２等のデータを実際に記録する領域において、ＯＰＣ処理が行われるので、内周側又は外周側等に位置するＯＰＣエリアに光ピックアップ等を移動させる必要がないので、ＯＰＣ処理にかかる時間を短縮することが可能である。
【０１３５】
（情報記録装置の第２実施例によるＯＰＣ処理及び記録動作の流れ）
次に図１０及び図１１に加えて前述した図７を適宜参照して、本発明の情報記録装置の第２実施例に係る情報記録再生装置による、ＯＰＣ処理、及び記録動作の流れについて説明する。ここに、図１０は本発明の情報記録装置の第２実施例に係る情報記録再生装置によるＯＰＣ処理の分割を示した図式的概念図である。図１１は、本発明の情報記録装置の第２実施例に係る情報記録再生装置によって、分割されたＯＰＣ処理が複数のＥＣＣブロックに分散された構造を示した図式的概念図である。
【０１３６】
本発明の情報記録装置の第２実施例に係る情報記録再生装置の基本構成及び動作及びＯＰＣ処理等は、図１から図９を参照して説明した第１実施例と概ね同様である。
【０１３７】
第２実施例では、前述した図７に示されるように、第１実施例と同様に、ステップＳ１０１からＳ１０４を経て、光ディスク１００のメディアタイプが、例えばＤＶＤ−Ｒであるか否かが判定される（ステップＳ１０５）。ここで、光ディスク１００のメディアタイプが、例えば、ＤＶＤ−Ｒである場合（ステップＳ１０５：Ｙｅｓ）、一回のＯＰＣ処理が許容欠陥長に収まらないので、ＯＰＣ処理の分割のために、ＤＶＤ−Ｒに対応した所定分割単位が決定される（ステップＳ２０１）。具体的には、所定分割単位がＯＰＣ処理の“１”パワーステップとして決定される。より具体的には、例えば、ＤＶＤ−Ｒの場合、一回のＯＰＣ処理に必要な長さは、約８．５ｍｍである。よって、一回のＯＰＣ処理を、例えば“１１”パワーステップとすると、所定分割単位であるＯＰＣ処理の“１”パワーステップの長さ、即ち、分割されたＯＰＣ処理の長さは、約０．７７ｍｍとなる（図１０を参照）。
【０１３８】
尚、より詳細には、分割されたＯＰＣ処理の大きさは、ブラックドットデフェクト（Black Dot defect）又はインターラプションデフェクト（Interruption defect）の規定で定められて大きさよりも小さくし、ＰＯエラーコレクションによって、訂正できる範囲の大きさにするのが好ましい。加えて、分割されたＯＰＣ処理は、１パワーステップごとに分割してもよいし、複数のパワーステップごとに分割してもよい。
【０１３９】
続いて、ＤＶＤ−Ｒに対応した所定数、即ち、分割されたＯＰＣ処理が各ＥＣＣブロックにおいて何回記録させるかが決定される（ステップＳ２０２）。具体的には、分割されたＯＰＣ処理が各ＥＣＣブロックにおいて“１”回記録させるように決定される。
【０１４０】
続いて、決定された所定数だけ各ＥＣＣブロックにおいて、分割されたＯＰＣ処理が行われる（ステップＳ２０３）。具体的には、例えば、２Ｔパルス及び８Ｔパルスによって構成されるＯＰＣ処理の“１”パワーステップが、各ＥＣＣブロックに１回だけ記録される（図１１を参照）。尚、分割されたＯＰＣ処理が記録される位置は、前述した、図８における説明と同様に、同期信号が記録された１ＥＣＣブロックの先頭のセクタ等は避け、中心部又は後半部が望ましい。よって、一回のＯＰＣ処理は、合計“１１”個のＥＣＣブロックに分散されて行なわれることとなる。より具体的には、ＤＶＤ−Ｒ等は、例えば、１ＥＣＣブロックの長さ（約８３ｍｍ）に対して、約５ｍｍの長さのバーストエラー又はトラッキングサーボの制御不能による書き込みエラー等を訂正することが可能である。即ち、許容欠陥長は約５ｍｍである。よって、約０．７７ｍｍの長さを必要とするＯＰＣ処理の“１”パワーステップによって、１ＥＣＣブロックにおいて、記録領域が破壊等されても十分にエラー訂正し、ユーザデータを復元することが可能である。
【０１４１】
続く記録動作等は、前述した図７における第１実施例の説明と同様である。
【０１４２】
（情報記録装置の第３実施例によるＯＰＣ処理及び記録動作の流れ）
次に、図１２（ａ）、図１３及び図１４に加えて前述した図７を適宜参照して、本発明の情報記録装置の第３実施例に係る情報記録再生装置による、ＯＰＣ処理、及び記録動作の流れについて説明する。ここに、図１２（ａ）は、本発明の情報記録装置の第３実施例に係る情報記録再生装置によって、分割されたＯＰＣ処理が複数のＥＣＣブロックに分散されて行なわれた構造を示した図式的概念図である。図１３は、本発明の情報記録装置の第３実施例に係る情報記録再生装置によって、分割されたＯＰＣ処理が１ＥＣＣブロックに２個記録された様子を示した図式的概念図である。図１４は、本発明の情報記録装置の第３実施例に係る情報記録再生装置によって、分割されたＯＰＣ処理が記録されたＥＣＣブロックの直前に位置するＥＣＣブロックにマーカー情報が記録された構造を示した図式的概念図である。
【０１４３】
本発明の情報記録装置の第３実施例に係る情報記録再生装置の基本構成及び動作及びＯＰＣ処理等は、図１から図１１を参照して説明した第１及び第２実施例と概ね同様である。
【０１４４】
第３実施例では、前述した図７に示されるように、第２実施例と同様に、ステップＳ１０５の判定の結果、光ディスク１００のメディアタイプが、例えば、ＤＶＤ−Ｒである場合（ステップＳ１０５：Ｙｅｓ）、一回のＯＰＣ処理が許容欠陥長に収まらないので、ＯＰＣ処理の分割のために、ＤＶＤ−Ｒに対応した所定分割単位が決定される（ステップＳ２０１）。具体的には、所定分割単位がＯＰＣ処理の“１”パワーステップとして決定される。より具体的には、例えば、ＤＶＤ−Ｒの場合、前述したように、所定分割単位であるＯＰＣ処理の“１”パワーステップの長さ、即ち、分割されたＯＰＣ処理の長さは、約０．７７ｍｍとなる（前述した図１０を参照）。
【０１４５】
続いて、ＤＶＤ−Ｒに対応した所定数、即ち、分割されたＯＰＣ処理が各ＥＣＣブロックにおいて何回記録させるかが決定される（ステップＳ２０２）。具体的には、分割されたＯＰＣ処理が各ＥＣＣブロックにおいて“２”回記録させるように決定される。
【０１４６】
続いて、決定された所定数だけ各ＥＣＣブロックにおいて、分割されたＯＰＣ処理が行われる（ステップＳ２０３）。具体的には、例えば、２Ｔパルス及び８Ｔパルスによって構成されるＯＰＣ処理の“１”パワーステップが、各ＥＣＣブロックに２回だけ記録される（図１２（ａ）を参照）。よって、一回のＯＰＣ処理は、合計“６”個のＥＣＣブロックに分散されて行なわれることとなる。より具体的には、前述したように、ＤＶＤ−Ｒ等は、例えば、１ＥＣＣブロックの長さ（約８３ｍｍ）に対して、約５ｍｍの長さのバーストエラー等を訂正することが可能である。即ち、許容欠陥長は約５ｍｍである。よって、約０．７７ｍｍの長さを必要とするＯＰＣ処理の“１”パワーステップが２回記録されることによって、１ＥＣＣブロックにおいて、記録領域が、約１．５４ｍｍ（約０．７７ｍｍ×２）だけ破壊等されても十分にエラー訂正し、ユーザデータを復元することが可能である（図１３を参照）。
【０１４７】
続いて、前述したステップＳ１０７において、設定された最適記録パワーによって、ＯＰＣ処理が行われた当該少なくとも一つのＥＣＣブロックの直前又は直後におけるＥＣＣブロックの所定範囲内の位置において、ＯＰＣ処理が行われたか否かを示すマーカー情報が記録される（ステップＳ１０８）。具体的には、図１４に示されるように、データエリア１０２のうち、例えば、分割されたＯＰＣ処理が行われた３番目から８番目の“６”個のＥＣＣブロックの直前に位置する１及び２番目のＥＣＣブロックにおける所定範囲内の位置において、最適記録パワーによって、マーカー情報が記録される。よって、前述したステップ１０４において、１及び２番目のＥＣＣブロックにおいて、マーカー情報が記録されているか否かを判定することによって、ＯＰＣ処理の行われていない、例えば、後続する３から８番目のＥＣＣブロック等の領域を容易に検出することが可能となる。尚、マーカー情報を１及び２番目の“２”個のＥＣＣブロックに記録するのは信頼性を向上させるためである。
【０１４８】
続く記録動作等は、前述した図７における第１実施例の説明と同様である。
【０１４９】
（情報記録装置の第４実施例によるＯＰＣ処理及び記録動作の流れ）
次に図１２（ｂ）に加えて前述した図７を適宜参照して、本発明の情報記録装置の第４実施例に係る情報記録再生装置による、ＯＰＣ処理、及び記録動作の流れについて説明する。ここに、図１２（ｂ）は、本発明の情報記録装置の第４実施例に係る情報記録再生装置によって、分割されたＯＰＣ処理が複数のＥＣＣブロックに分散された構造を示した図式的概念図である。
【０１５０】
本発明の情報記録装置の第４実施例に係る情報記録再生装置の基本構成及び動作及びＯＰＣ処理等は、図１から図１２（ａ）を参照して説明した第１、第２及び第３実施例と概ね同様である。
【０１５１】
第４実施例では、前述した図７に示されるように、第２実施例と同様に、ステップＳ１０５の判定の結果、光ディスク１００のメディアタイプが、例えば、ＤＶＤ−Ｒである場合（ステップＳ１０５：Ｙｅｓ）、一回のＯＰＣ処理が許容欠陥長に収まらないので、ＯＰＣ処理の分割のために、ＤＶＤ−Ｒに対応した所定分割単位が決定される（ステップＳ２０１）。具体的には、所定分割単位がＯＰＣ処理の“２”パワーステップとして決定される。より具体的には、例えば、ＤＶＤ−Ｒの場合、前述したように、所定分割単位であるＯＰＣ処理の“２”パワーステップの長さ、即ち、分割されたＯＰＣ処理の長さは、約１．５４ｍｍ（約０．７７ｍｍ×２）となる（図１２（ｂ）を参照）。
【０１５２】
続いて、ＤＶＤ−Ｒに対応した所定数、即ち、分割されたＯＰＣ処理が各ＥＣＣブロックにおいて何回記録させるかが決定される（ステップＳ２０２）。具体的には、分割されたＯＰＣ処理が各ＥＣＣブロックにおいて“１”回記録させるように決定される。
【０１５３】
続いて、決定された所定数だけ各ＥＣＣブロックにおいて、分割されたＯＰＣ処理が行われる（ステップＳ２０３）。具体的には、例えば、２Ｔパルス及び８Ｔパルスによって構成されるＯＰＣ処理の“２”パワーステップが、各ＥＣＣブロックに１回だけ記録される。よって、一回のＯＰＣ処理は、合計“６”個のＥＣＣブロックに分散されて行なわれることとなる（図１２（ｂ）を参照）。より具体的には、前述したように、ＤＶＤ−Ｒ等は、例えば、１ＥＣＣブロックの長さ（約８３ｍｍ）に対して、約５ｍｍの長さのバーストエラー等を訂正することが可能である。即ち、許容欠陥長は約５ｍｍである。よって、約１．５４ｍｍの長さを必要とするＯＰＣ処理の“２”パワーステップが１回記録されることによって、１ＥＣＣブロックにおいて、記録領域が、約１．５４ｍｍ（約０．７７ｍｍ×２）だけ連続して破壊等されても十分にエラー訂正し、ユーザデータを復元することが可能である。
【０１５４】
続く記録動作等は、前述した図７における第３実施例の説明と同様である。
【０１５５】
（情報記録装置の第５実施例によるＯＰＣ処理及び記録動作の流れ）
次に図１２（ｃ）に加えて前述した図７を適宜参照して、本発明の情報記録装置の第５実施例に係る情報記録再生装置による、ＯＰＣ処理、及び記録動作の流れについて説明する。ここに、図１２（ｃ）は、本発明の情報記録装置の第５実施例に係る情報記録再生装置によって、分割されたＯＰＣ処理が複数のＥＣＣブロックに分散された構造を示した図式的概念図である。
【０１５６】
本発明の情報記録装置の第５実施例に係る情報記録再生装置の基本構成及び動作及びＯＰＣ処理等は、図１から図１２を参照して説明した第１から第４実施例と概ね同様である。
【０１５７】
第５実施例では、前述した図７に示されるように、第２実施例と同様に、ステップＳ１０５の判定の結果、光ディスク１００のメディアタイプが、例えば、ＤＶＤ−Ｒである場合（ステップＳ１０５：Ｙｅｓ）、一回のＯＰＣ処理が許容欠陥長に収まらないので、ＯＰＣ処理の分割のために、ＤＶＤ−Ｒに対応した所定分割単位が決定される（ステップＳ２０１）。具体的には、所定分割単位がＯＰＣ処理の“２”パワーステップとして決定される。より具体的には、例えば、ＤＶＤ−Ｒの場合、前述したように、所定分割単位であるＯＰＣ処理の“２”パワーステップの長さ、即ち、分割されたＯＰＣ処理の長さは、約１．５４ｍｍ（約０．７７ｍｍ×２）となる（図１２（ｃ）を参照）。
【０１５８】
続いて、ＤＶＤ−Ｒに対応した所定数、即ち、分割されたＯＰＣ処理が各ＥＣＣブロックにおいて何回記録させるかが決定される（ステップＳ２０２）。具体的には、分割されたＯＰＣ処理が各ＥＣＣブロックにおいて“２”回記録させるように決定される。
【０１５９】
続いて、決定された所定数だけ各ＥＣＣブロックにおいて、分割されたＯＰＣ処理が行われる（ステップＳ２０３）。具体的には、例えば、２Ｔパルス及び８Ｔパルスによって構成されるＯＰＣ処理の“２”パワーステップが、各ＥＣＣブロックに２回だけ記録される。よって、一回のＯＰＣ処理は、合計“３”個のＥＣＣブロックに分散されて行なわれることとなる（図１２（ｃ）を参照）。より具体的には、前述したように、ＤＶＤ−Ｒ等は、例えば、１ＥＣＣブロックの長さ（約８３ｍｍ）に対して、約５ｍｍの長さのバーストエラー等を訂正することが可能である。即ち、許容欠陥長は約５ｍｍである。よって、約１．５４ｍｍの長さを必要とするＯＰＣ処理の“２”パワーステップが２回記録されることによって、１ＥＣＣブロックにおいて、記録領域が、約３．０８ｍｍ（約１．５４ｍｍ×２）だけ破壊等されても十分にエラー訂正し、ユーザデータを復元することが可能である。
【０１６０】
続く記録動作等は、前述した図７における第３実施例の説明と同様である。
【０１６１】
本実施例では、情報記録装置の一具体例として、例えば、ＤＶＤ−Ｒ又はＢＤ−Ｒ等の大容量記録媒体の追記型光ディスクの情報記録再生装置について説明した。
【０１６２】
本発明は、上述した実施例に限られるものではなく、請求の範囲及び明細書全体から読み取れる発明の要旨或いは思想に反しない範囲で適宜変更可能であり、そのような変更を伴なう情報記録装置及び最適記録パワーを検出する情報記録方法もまた本発明の技術的範囲に含まれるものである。
【産業上の利用可能性】
【０１６３】
本発明に係る情情報記録装置及び方法、情報記録再生装置及び方法、並びにコンピュータプログラムは、例えば、ＤＶＤレコーダ、ＤＶＤプレーヤ等に利用可能である。また、例えば民生用或いは業務用の各種コンピュータ機器に搭載される又は各種コンピュータ機器に接続可能な情報記録装置等にも利用可能である。
【図１】
0004450237.tif 000002
【図２】
0004450237.tif 000003
【図３】
0004450237.tif 000004
【図４】
0004450237.tif 000005
【図５】
0004450237.tif 000006
【図６】
0004450237.tif 000007
【図７】
0004450237.tif 000008
【図８】
0004450237.tif 000009
【図９】
0004450237.tif 000010
【図１０】
0004450237.tif 000011
【図１１】
0004450237.tif 000012
【図１２】
0004450237.tif 000013
【図１３】
0004450237.tif 000014
【図１４】
0004450237.tif 000015